(57)【特許請求の範囲】
【請求項１】
プライマリモバイルデバイス（１４）のための協調マルチポイント送信及び受信をサポートするために、無線通信ネットワーク内の協働モバイルデバイス（１４）により実装される方法（２５０）であって、
前記協働モバイルデバイス（１４）により、前記協働モバイルデバイス（１４）と前記プライマリモバイルデバイス（１４）についてのサービング基地局との間のリンク品質に基づいて有用度メトリックを判定することと、
前記協働モバイルデバイス（１４）により、前記有用度メトリックに基づいて、前記プライマリモバイルデバイス（１４）についてのサービング基地局及び少なくとも１つの協働基地局（１４）を含む、前記プライマリモバイルデバイス（１４）についての協調セットへ選択的に参加すること（２５５）と、
前記協調セットのメンバとしての前記協働モバイルデバイス（１４）により、前記プライマリモバイルデバイス（１４）及び前記サービング基地局のうちの一方から他方へと送信されるデータ信号を受信すること（２６０）と、
前記協調セットのメンバとしての前記協働モバイルデバイス（１４）により、前記サービング基地局及び前記プライマリモバイルデバイス（１４）のうちの前記他方へと前記データ信号を再送信すること（２７０）と、
を特徴とする方法。
【請求項２】
前記協働モバイルデバイス（１４）についての有用度メトリックを判定すること（３０５，３１０）は、
第１のリンク品質測定結果を取得するために、前記協働モバイルデバイス（１４）と前記プライマリモバイルデバイス（１４）との間の第１の通信リンクについての第１のリンク品質を測定すること（３０５）と、
第２のリンク品質測定結果を取得するために、前記協働モバイルデバイス（１４）と、前記プライマリモバイルデバイス（１４）についてのサービング基地局との間の第２の通信リンクについての第２のリンク品質を測定すること（３１０）と、
前記第１の及び第２のリンク品質測定結果に基づいて、前記協働モバイルデバイス（１４）についての前記有用度メトリックを計算することと、
を含む、請求項１の方法（２５０）。
【請求項３】
前記協働モバイルデバイス（１４）についての有用度メトリックを判定することは、前記協働モバイルデバイス（１４）についての干渉メトリックを判定することをさらに含み、
前記協働モバイルデバイス（１４）についての前記有用度メトリックを計算することは、前記干渉メトリックにさらに基づく、
請求項２の方法（２５０）。
【請求項４】
前記有用度メトリックに基づいて、前記プライマリモバイルデバイス（１４）についての前記協調セットへ選択的に参加すること（３２５，３７５）は、前記有用度メトリックが有用度の閾値を満たす場合に、前記協調セットに参加すること、を含む、
請求項１の方法（２５０）。
【請求項５】
前記有用度メトリックに基づいて、前記プライマリモバイルデバイス（１４）についての前記協調セットへ選択的に参加すること（３２５，３７５）は、
前記協働モバイルデバイス（１４）及び１つ以上の他の候補モバイルデバイス（１４）を含む、候補セットを判定することと、
前記協働モバイルデバイス（１４）を含む前記候補モバイルデバイス（１４）の各々についての有用度メトリックを受信すること又は判定すること（３６０，３６５）と、
前記協働モバイルデバイス（１４）についての前記有用度メトリックと前記１つ以上の他の候補モバイルデバイス（１４）の前記有用度メトリックとの比較に基づいて、前記プライマリモバイルデバイス（１４）についての前記協調セットへ選択的に参加すること（３７５）と、
を含む、請求項１の方法（２５０）。
【請求項６】
前記協働モバイルデバイス（１４）についての前記有用度メトリックと前記１つ以上の他の候補モバイルデバイス（１４）の前記有用度メトリックとの比較に基づいて、前記プライマリモバイルデバイス（１４）についての前記協調セットへ選択的に参加すること（３７５）は、
前記１つ以上の他の候補モバイルデバイス（１４）をそれらの有用度メトリックに基づいてランク付けすること（３６５）と、
前記協働モバイルデバイス（１４）についての前記有用度メトリックが、前記協調セット内で上位にランク付けされた予め定められた数の候補モバイルデバイス（１４）の中にある場合に、前記協調セットへ参加すること（３７５）と、
を含む、請求項５の方法（２５０）。
【請求項７】
前記サービング基地局及びプライマリモバイルデバイス（１４）のうちの前記他方へと前記データ信号を再送信することは、
前記プライマリモバイルデバイス（１４）と前記サービング基地局との間で送信された前記データ信号が、正確に受信されなかったことを示す確認信号を受信することと、
前記確認信号に応じて、前記データ信号を再送信することと、
を含む、請求項１の方法（２５０）。
【請求項８】
プライマリモバイルデバイス（１４）のための協調マルチポイント送信及び受信をサポートするための、無線通信ネットワーク内の協働モバイルデバイス（１４，５００）であって、
前記協働モバイルデバイス（１４）は、無線通信チャネル上で信号を送信及び受信するように構成される送受信器回路（５１０）と、処理回路（５２０）とを含み、
前記処理回路は、
前記協働モバイルデバイス（１４）と前記プライマリモバイルデバイス（１４）についてのサービング基地局との間のリンク品質に基づいて、前記協働モバイルデバイス（１４）についての有用度メトリックを判定し、
前記有用度メトリックに基づいて、前記プライマリモバイルデバイス（１４）についてのサービング基地局（１２）及び少なくとも１つの協働基地局（１４）を含む、前記プライマリモバイルデバイス（１４）についての協調セットに選択的に参加し、
前記プライマリモバイルデバイス（１４）についての前記協調セットのメンバとして、前記プライマリモバイルデバイス（１４）及び前記サービング基地局（１２）のうちの一方から他方へと送信されるデータ信号を受信し、
前記プライマリモバイルデバイス（１４）についての前記協調セットのメンバとして、前記サービング基地局（１２）及び前記プライマリモバイルデバイス（１４）のうちの前記他方へと前記データ信号を再送信する、
ように構成される協調マルチポイント制御回路（５３０）、を特徴とする、
協働モバイルデバイス（１４，５００）。
【請求項９】
前記処理回路（５２０）は、
第１のリンク品質測定結果を取得するために、前記協働モバイルデバイス（１４）と前記プライマリモバイルデバイス（１４）との間の第１の通信リンクについての第１のリンク品質を測定することと、
第２のリンク品質測定結果を取得するために、前記協働モバイルデバイス（１４）と、前記プライマリモバイルデバイス（１４）についてのサービング基地局（１２）との間の第２の通信リンクについての第２のリンク品質を測定することと、
前記第１の及び第２のリンク品質測定結果に基づいて、前記協働モバイルデバイス（１４）についての前記リンク品質メトリックを計算することと、
により、前記協働モバイルデバイス（１４）についての有用度メトリックを判定するように構成される回路である、請求項８の協働モバイルデバイス（１４，５００）。
【請求項１０】
前記処理回路（５２０）は、
さらに前記協働モバイルデバイス（１４）についての干渉メトリックを判定することにより、前記協働モバイルデバイス（１４）についての有用度メトリックを判定し、
前記干渉メトリックにさらに基づいて、前記協働モバイルデバイス（１４）についての有用度メトリックを計算する、
ように構成される、請求項８の協働モバイルデバイス（１４，５００）。
【請求項１１】
前記処理回路（５２０）は、前記有用度メトリックが有用度の閾値を満たす場合に前記協調セットに参加することにより、前記有用度メトリックに基づいて前記プライマリモバイルデバイス（１４）についての前記協調セットへ選択的に参加する、
ように構成される、請求項８の協働モバイルデバイス（１４，５００）。
【請求項１２】
前記処理回路（５２０）は、
前記協働モバイルデバイス（１４）及び１つ以上の他の候補モバイルデバイス（１４）を含む、候補セットを判定することと、
前記協働モバイルデバイス（１４）を含む前記候補モバイルデバイス（１４）の各々についての有用度メトリックを受信すること又は判定することと、
前記協働モバイルデバイス（１４）についての前記有用度メトリックと前記１つ以上の他の候補モバイルデバイス（１４）の前記有用度メトリックとの比較に基づいて、前記プライマリモバイルデバイス（１４）についての前記協調セットへ選択的に参加することと、
により、前記有用度メトリックに基づいて前記プライマリモバイルデバイス（１４）についての協調セットに選択的に参加する、ように構成される、請求項８の協働モバイルデバイス（１４，５００）。
【請求項１３】
前記処理回路（５２０）は、
前記１つ以上の候補モバイルデバイス（１４）を有用度メトリックに基づいてランク付けすることと、
前記協働モバイルデバイス（１４）についての前記有用度メトリックが、前記協調セット内で上位にランク付けされた予め定められた数の候補モバイルデバイス（１４）の中にある場合に、前記協調セットに参加することと、
により、前記協働モバイルデバイス（１４）についての前記有用度メトリックと前記１つ以上の他の候補モバイルデバイス（１４）の前記有用度メトリックとの比較に基づいて、前記プライマリモバイルデバイス（１４）についての前記協調セットへ選択的に参加する、ように構成される、請求項１２の協働モバイルデバイス（１４，５００）。
【請求項１４】
前記処理回路（５２０）は、
前記プライマリモバイルデバイス（１４）と前記サービング基地局との間で送信された前記データ信号が、正確に受信されなかったことを示す確認信号を受信することと、
前記確認信号に応じて、前記データ信号を再送信することと、
により、前記サービング基地局及びプライマリモバイルデバイス（１４）のうちの前記他方へと前記データ信号を再送信する、ように構成される、請求項８の協働モバイルデバイス（１４，５００）。
【請求項１５】
プライマリモバイルデバイス（１４）のための協調マルチポイント送信及び受信をサポートするために、無線通信ネットワーク内のサービング基地局（１２）により実装される方法（１００）であって、
前記サービング基地局（１２）により、プライマリモバイルデバイス（１４）によって送信される第１のデータ信号を受信すること（１０５）、
を含み、
１つ以上の候補モバイルデバイス（１４）から、当該候補モバイルデバイス（１４）と前記プライマリモバイルデバイス（１４）との間のリンク品質を示す第１のリンク品質測定結果を含むリンク品質測定結果を受信すること（４０５）と、
前記リンク品質測定結果に基づいて、前記候補モバイルデバイス（１４）の各々についての有用度メトリックを計算することと、
前記１つ以上の候補モバイルデバイス（１４）から、前記プライマリモバイルデバイス（１４）についての協調セットに含めるために、少なくとも１つの協働モバイルデバイス（１４）を選択すること（４１０）と、
前記サービング基地局（１２）により、前記プライマリモバイルデバイス（１４）についての協調セット内の協働モバイルデバイス（１４）によって再送信される第２のデータ信号であって前記第１のデータ信号の再送信を含む当該第２のデータ信号を受信すること（１１０）と、
前記第１の及び第２のデータ信号を合成して、合成データ信号を生成すること（１１５）と、
を特徴とする方法。
【請求項１６】
前記第２のデータ信号は、前記第１のデータ信号と同一のサブフレーム内において受信される、請求項１５の方法。
【請求項１７】
前記第２のデータ信号は、前記第１のデータ信号が受信されるときのサブフレームに後続するサブフレーム内において受信される、請求項１５の方法。
【請求項１８】
前記第２のデータ信号は、前記サービング基地局（１２）により前記プライマリモバイルデバイス（１４）へ送信される確認信号に応じて受信される、請求項１７の方法。
【請求項１９】
１つ以上の協働基地局（１２）と、受信されたリンク品質測定結果を交換すること、をさらに含む、請求項１５の方法。
【請求項２０】
前記合成データ信号の復号の確率に基づいて、前記プライマリモバイルデバイス（１４）についての変調符号化方式を適応させること、をさらに含む、請求項１５の方法。
【請求項２１】
プライマリモバイルデバイス（１４）のための協調マルチポイント送信及び受信をサポートするための、無線通信ネットワーク内の基地局（１２，５００）であって、
前記基地局（１２）は、無線通信チャネル上で信号を送信及び受信するように構成される送受信器回路と、処理回路（５２０）とを含み、
前記処理回路（５２０）は、
１つ以上の候補モバイルデバイス（１４）から、当該候補モバイルデバイス（１４）と前記プライマリモバイルデバイス（１４）との間のリンク品質を示す第１のリンク品質測定結果を含むリンク品質測定結果を受信し、
前記リンク品質測定結果に基づいて、前記候補モバイルデバイス（１４）の各々についての有用度メトリックを計算し、
前記１つ以上の候補モバイルデバイス（１４）から、前記プライマリモバイルデバイス（１４）についての協調セットに含めるために、少なくとも１つの協働モバイルデバイス（１４）を選択し、
プライマリモバイルデバイス（１４）により送信されるデータ信号の第１のコピーを受信し、
前記プライマリモバイルデバイス（１４）についての協調セット内の協働モバイルデバイス（１４）により再送信される第２のデータ信号を受信し、
前記第１の及び第２のデータ信号を合成して、合成データ信号を生成する、
ように構成される、協調マルチポイント制御回路（５３０）、を特徴とする、
基地局（１２，５００）。
【請求項２２】
前記第２のデータ信号は、前記第１のデータ信号と同一のサブフレーム内において受信される、請求項２１の基地局（１２，５００）。
【請求項２３】
前記第２のデータ信号は、前記第１のデータ信号が受信されるときのサブフレームに後続するサブフレーム内において受信される、請求項２１の基地局（１２，５００）。
【請求項２４】
前記第２のデータ信号は、前記サービング基地局（１２）により前記プライマリモバイルデバイス（１４）へ送信される確認信号に応じて受信される、請求項２３の基地局（１２，５００）。
【請求項２５】
前記処理回路は、１つ以上の協働基地局（１２）と、リンク品質測定結果を交換する、ようにさらに構成される、請求項２１の基地局（１２，５００）。
【請求項２６】
前記処理回路は、前記合成データ信号の復号の確率に基づいて、前記プライマリモバイルデバイス（１４）についての変調符号化方式を適応させる、ようにさらに構成される、請求項２１の基地局（１２，５００）。
【請求項２７】
プライマリモバイルデバイス（１４）により実装される協調マルチポイント受信の方法（２００）であって、
前記プライマリモバイルデバイス（１４）により、サービング基地局（１２）によって送信される第１のデータ信号を受信すること（２０５）と、当該第１のデータ信号は、協働モバイルデバイス（１４）によっても受信されることと、
前記サービング基地局（１２）へ確認信号を送信することと、
前記プライマリモバイルデバイス（１４）により、前記プライマリモバイルデバイス（１４）についての協調セット内の前記協働モバイルデバイス（１４）によって前記確認信号に応じて送信される第２のデータ信号であって前記協働モバイルデバイス（１４）による前記プライマリモバイルデバイス（１４）への前記第１のデータ信号の第１の送信を含む当該第２のデータ信号を受信すること（２１０）と、
前記第１の及び第２のデータ信号を合成して、合成データ信号を生成すること（２１５）と、
を含む方法。
【請求項２８】
前記第２のデータ信号は、前記第１のデータ信号と同一のサブフレーム内において受信される、請求項２７の方法（４００）。
【請求項２９】
前記第２のデータ信号は、前記第１のデータ信号が受信されるときのサブフレームに後続するサブフレーム内において受信される、請求項２７の方法（４００）。
【請求項３０】
協調マルチポイント受信が可能な、無線通信ネットワーク内のプライマリモバイルデバイス（１４，５００）であって、
前記モバイルデバイス（１４）は、無線通信チャネル上で信号を送信及び受信するように構成される送受信器回路（５１０）と、処理回路（５２０）とを含み、
前記処理回路（５２０）は、
サービング基地局（１２）により送信され、協働モバイルデバイス（１４）によっても受信される第１のデータ信号を受信し、
前記サービング基地局（１２）へ確認信号を送信し、
前記プライマリモバイルデバイス（１４）についての協調セット内の前記協働モバイルデバイス（１４）により前記確認信号に応じて送信される第２のデータ信号であって前記協働モバイルデバイス（１４）による前記プライマリモバイルデバイス（１４）への前記第１のデータ信号の第１の送信を含む当該第２のデータ信号を受信し、
前記第１の及び第２のデータ信号を合成して、合成データ信号を生成する、
ように構成される、協調マルチポイント制御回路（５３０）、を特徴とする、
プライマリモバイルデバイス（１４，５００）。
【請求項３１】
前記第２のデータ信号は、前記第１のデータ信号と同一のサブフレーム内において受信される、請求項３０のプライマリモバイルデバイス（１４，５００）。
【請求項３２】
前記第２のデータ信号は、前記第１のデータ信号が受信されるときのサブフレームに後続するサブフレーム内において受信される、請求項３０のプライマリモバイルデバイス（１４，５００）。
【発明の詳細な説明】
【技術分野】
【０００１】
本発明は、一般に、無線通信ネットワークにおける協調マルチポイント（ＣｏＭＰ）送信及び受信に関し、より具体的には、モバイルデバイスが他のモバイルデバイスのためのＣｏＭＰノードとして機能する、モバイルデバイス支援型のＣｏＭＰ送信及び受信を実装するための方法及び装置に関する。
【背景技術】
【０００２】
無線通信に対する需要の驚くべき増加は、無線ネットワーク事業者に、彼らの通信ネットワークのキャパシティを改善するように絶え間なく圧力を掛けている。これらのネットワークのスペクトル効率を改善するために、乏しい無線リソースが隣接セル内で積極的に再使用されなければならない。その結果、セル間干渉が、セルエッジにおけるユーザに対するサービス品質だけでなくシステム全体のスループットを制限する、信号外乱の主な原因となっている。
【０００３】
アップリンクにおける協調マルチポイント（ＣｏＭＰ）受信は、ＩＭＴ（International  Mobile  Telecommunications）−Ａｄｖａｎｃｅｄシステムにおけるセル間干渉を緩和するために考慮されている１つの技術である。アップリンク（ＵＬ）について、ＣｏＭＰ受信は、アップリンク信号が地理的に分散した複数の基地局において受信され、その後バックホール通信リンクをまたいで協働的な処理のための共通の場所（例えば、サービング基地局）へ送信される点において、従来のシステムにおける受信とは異なる。実際には、このアーキテクチャは、ＣｏＭＰセルと称する“スーパーセル”を形成し、そこでは、従来のセルによりセル間干渉として扱われているであろうアップリンク信号は、その代わりにＣｏＭＰセルにより所望信号として扱われる。セル間干渉の緩和は、特に従来のセルのエッジ付近のユーザについて、システムパフォーマンス著しく改善すると期待される。
【０００４】
しかしながら、受信されるアップリンク信号を共同的な処理（Joint  Processing）のために複数のバックホール通信リンクをまたいで送信することは、多大な、潜在的に法外なほどのバックホール帯域幅を要し得る。多くの送信について、協働ノードは、処理のためにサービングノードへＣｏＭＰペイロードを伝達するための厳しい時間的期限の下におかれる。例えば、協働ノードにより受信されるアップリンク信号は、ハイブリッド自動再送要求（ＨＡＲＱ）のための時間的期限内に処理されてＣｏＭＰペイロードがサービングノードへ伝達されることが望ましい。ＬＴＥ（Long  Term  Evolution）システムでは、ＨＡＲＱタイミングは、典型的に、無線チャネルの短期的振る舞いを活用することをＨＡＲＱプロセスが支援できるように、４ｍｓに設定される。通常の解決策は、ＣｏＭＰペイロードを５００μｓよりも少ないレイテンシで伝達し、それによりペイロードをＨＡＲＱの期限内にサービングセルにとって有益なものとすることができる。低レイテンシのための要件は、バックホール上のピークデータレートを左右し、バックホール上で非常に高い帯域幅を要する。
【０００５】
セルの同期的な性質もまた、高いピークデータレートに寄与する。全てのセルにおける送信は同期的であるため、多くの異なるノードからのＣｏＭＰペイロードが同時にバックホール上で送信されるかもしれず、ピーク輻輳を引き起こす。リンクの平均的な利用率は低いであろう一方で、短いピークが帯域幅要件とリンクコストとを左右する。
【０００６】
ＣｏＭＰペイロードを処理するための処理負荷は、他の関心事である。ＣｏＭＰ動作についての処理負荷を最小化する解決策は有利である。
【発明の概要】
【課題を解決するための手段】
【０００７】
本発明は、モバイルデバイスの分散型の性質を活用し、無線通信ネットワークにおけるアップリンクＣｏＭＰ及びダウンリンクＣｏＭＰ双方のパフォーマンスを向上させるためにデバイス間（Ｄ２Ｄ）通信を採用する。
【０００８】
本発明の例示的な実施形態では、アイドル状態のモバイルデバイスは、モバイルデバイスとそのサービング基地局との間のアップリンク及びダウンリンク通信のために、協調マルチポイント送信及び受信をサポートするための協働デバイスとして使用される。隣接した基地局に加えて、モバイルデバイスが、ＣｏＭＰセッションに参加し得る。アップリンク通信について、協働モバイルデバイスは、サポートされるモバイルデバイスからアップリンク送信信号を受信し、受信したデータ信号を、サポートされるモバイルデバイスについてのサービング基地局へ再送信する。ダウンリンク通信について、協働モバイルデバイスは、サービング基地局からダウンリンク送信信号を受信し、受信したデータ信号をサポートされるモバイルデバイスへ再送信する。
【０００９】
本発明の例示的な実施形態は、プライマリモバイルデバイスのための協調マルチポイント送信及び受信をサポートするために、無線通信ネットワーク内の協働モバイルデバイスにより実装される方法を含む。１つの例示的な方法では、協働モバイルデバイスは、プライマリモバイルデバイスについての協調セットに参加する。協調セットは、プライマリモバイルデバイスについてのサービング基地局を含む。協調セットのメンバ間で、協働モバイルデバイスは、プライマリモバイルデバイスからサービング基地局へ、又はサービング基地局からプライマリモバイルデバイスへ、のいずれかへ送信されるデータ信号を受信する。協働モバイルデバイスは、アップリンク通信についてはサービング基地局、又はダウンリンク通信についてはプライマリモバイルデバイス、のいずれかへデータ信号を再送信する。
【００１０】
本発明の他の実施形態は、プライマリモバイルデバイスのための協調マルチポイント送信及び受信をサポートするための、無線通信ネットワーク内の協働モバイルデバイスを含む。協働モバイルデバイスは、無線通信チャネル上で信号を送信及び受信するように構成される送受信器回路と、協調マルチポイント制御回路を含む処理回路と、を含む。処理回路は、プライマリモバイルデバイスについての協調セットに参加する、ように構成される。協調セットは、プライマリモバイルデバイスについてのサービング基地局を含む。処理回路は、プライマリモバイルデバイスについての協調セットのメンバとして、プライマリモバイルデバイスからサービング基地局へ、又はサービング基地局からプライマリモバイルデバイスへ、のいずれかへ送信されるデータ信号を受信するように構成される。処理回路は、プライマリモバイルデバイスについての協調セットのメンバとして、アップリンク通信についてはサービング基地局へ、又はダウンリンク通信についてはプライマリモバイルデバイスへ、データ信号を再送信するようにさらに構成される。
【００１１】
本発明の他の実施形態は、プライマリモバイルデバイスのための協調マルチポイント受信をサポートするために、無線通信ネットワーク内のサービング基地局により実装される方法を含む。１つの例示的な方法では、サービング基地局は、プライマリモバイルデバイスによって送信される第１のデータ信号を受信し、プライマリモバイルデバイスについての協調セット内の協働モバイルデバイスにより再送信されるものとしての第２のデータ信号を受信する。第２のデータ信号は、第１のデータ信号の再送信を含む。サービング基地局は、さらに、第１の及び第２のデータ信号を合成して、合成データ信号を生成する。
【００１２】
本発明の他の実施形態は、プライマリモバイルデバイスのための協調マルチポイント送信及び受信をサポートするための、無線通信ネットワーク内のサービング基地局を含む。サービング基地局は、無線通信チャネル上で信号を送信及び受信するように構成される送受信器回路と、協調マルチポイント制御回路を含む処理回路と、を含む。処理回路は、プライマリモバイルデバイスにより送信されるデータ信号の第１のコピーを受信し、プライマリモバイルデバイスについての協調セット内の協働モバイルデバイスにより再送信されるものとしての第２のデータ信号を受信するように構成される。第２のデータ信号は、第１のデータ信号の再送信を含む。処理回路は、第１の及び第２のデータ信号を合成して、合成データ信号を生成するようにさらに構成される。
【発明の効果】
【００１３】
本発明は、モバイルデバイスの分散型の性質を活用すること、及びデバイス間（Ｄ２Ｄ）通信を採用することにより、ネットワークのキャパシティ及びスループットを改善する。キャパシティ及びスループットを改善することに加えて、本発明は、干渉協調を改善し、弱いカバレッジエリアにあるモバイルデバイスのためにカバレッジホールを除去する。ＣｏＭＰセッション内の参加者としてモバイルデバイスを使用することは、基地局における処理負荷とともに、隣接した基地局間のバックホール通信についての帯域幅の要件をも減少させることができる。
【図面の簡単な説明】
【００１４】
【図１】モバイルデバイス支援型の協調マルチポイント（ＣｏＭＰ）受信を実装する無線通信ネットワークを示す。
【図２】１つの実施形態に係る、アップリンク通信についての協調マルチポイント受信を示すフロー図である。
【図３】１つの実施形態に係る、アップリンク通信についての協調マルチポイント受信を示すフロー図である。
【図４】１つの実施形態に係る、ダウンリンク通信についての協調マルチポイント受信を示すフロー図である。
【図５】１つの実施形態に係る、ダウンリンク通信についての協調マルチポイント受信を示すフロー図である。
【図６】プライマリモバイルデバイスによる協調マルチポイント送信及び受信をサポートするために、協調セット内の協働モバイルデバイスにより実装される例示的な方法を示す。
【図７】プライマリモバイルデバイスについての協調セットのための１つ以上の協働デバイスを選択するために、基地局により実装される例示的な方法を示す。
【図８】プライマリモバイルデバイスについての協調セットに参加するために、協働モバイルデバイスにより実装される例示的な方法を示す。
【図９】プライマリモバイルデバイスについての協調セットに参加するために、協働モバイルデバイスにより実装される別の例示的な方法を示す。
【図１０】協調マルチポイント送信及び受信を実装する、通信デバイスの主な機能コンポーネントを示す。
【発明を実施するための形態】
【００１５】
ここで図面を参照すると、図１は、本発明の１つの例示的な実施形態に係る協調マルチポイント（ＣｏＭＰ）システム１０を示す。ＣｏＭＰシステム１０は、ＣｏＭＰシステム１０の各セル１６内のモバイルデバイス１４にサービスを提供する、複数の地理的に分散した基地局１２を含む。図１では、２つの基地局１２と、４つのモバイルデバイス１４とが示されている。ＬＴＥでは、基地局は、発展型ノードＢ（ｅＮｏｄｅＢ又はｅＮＢ）と称され、モバイルデバイスは、ユーザ機器（ＵＥ）と称される。基地局１２は、ＢＳ１及びＢＳ２とそれぞれ表される。モバイルデバイス１４は、ＵＥ１、ＵＥ２、ＵＥ３及びＵＥ４とそれぞれ表される。ＢＳ１は、ＵＥ１、ＵＥ２及びＵＥ３のためのサービング基地局１２であり、一方、ＢＳ２は、ＵＥ４のためのサービング基地局１２である。モバイルデバイス１４から基地局１２へのアップリンク信号は、ｓijと表される。ここで、ｉはモバイルデバイス１４を示し、ｊは基地局１２を示す。
【００１６】
ＣｏＭＰシステム１０において、モバイルデバイス１４から送信されるアップリンク信号は、典型的には、ここではＣｏＭＰセットとも称される協調セット内の複数の基地局１２により受信される。本出願の目的上、“協調（coordinating）基地局１２”との用語は、ＣｏＭＰセッションを制御する、協調セット（即ち“ＣｏＭＰセット”）内の任意の基地局１２を言う。“協働（cooperating）ノード”との用語は、協働セット内の基地局２０（即ち、協働基地局２０）又はモバイルデバイス１４（協働モバイルデバイス１４）のいずれかを言う。所与のモバイルデバイス１４について、協調セットは、典型的には、協調基地局１２又はサービング基地局１２、及び少なくとも１つの他の協働ノードを含み、少なくとも１つの他の協働ノードは、協働基地局１２又は協働モバイルデバイス１４であり得る。
【００１７】
図１に示す例では、ＵＥ１及びＵＥ２双方についてのＣｏＭＰセットは、ＢＳ１及びＢＳ２を含む。ＢＳ１は、ＵＥ１及びＵＥ４からそれぞれアップリンク信号ｓ１１及びｓ４１を受信する。ＢＳ１は、受信した信号ｓ４１をＢＳ２による処理のために、バックホールリンク上でＢＳ２へ送信し得る。ＢＳ２は、ＵＥ１及びＵＥ４からそれぞれアップリンク信号ｓ１２及びｓ４２を受信する。ＢＳ２は、受信した信号ｓ１２をＢＳ１による処理のために、バックホールインク上でＢＳ１へ送信し得る。
【００１８】
ＵＥ１は、ＵＥ２及びＵＥ３を含むモバイルデバイス１４のローカルクラスタ１８の一部である。ＵＥ３は、アップリンク信号ｓ３１をＢＳ１へ送信している。ＵＥ２はアイドル状態である。モバイルデバイス１４は、ローカルクラスタ１８の一部又は１つより多くのローカルクラスタ１８であってもよい。
【００１９】
本発明の例示的な実施形態では、アイドル状態のモバイルデバイス１４は、プライマリモバイルデバイス１４についてのＣｏＭＰセットに選択的に参加すること、及び協調モバイルデバイス１４として動作することにより、プライマリモバイルデバイス１４からそのサービング基地局１２へのアップリンク送信をサポートするのを助け得る。協調モバイルデバイス１４は、サービング基地局からプライマリモバイルデバイス１４へのダウンリンク送信をもサポートし得る。プライマリモバイルデバイス１４についての協調セットに参加するモバイルデバイス１４は、ここでは協働モバイルデバイス１４と称される。
【００２０】
プライマリモバイルデバイス１４からサービング基地局１２へのアップリンク送信について、協働モバイルデバイス１４は、プライマリモバイルデバイス１４により送信される信号を受信し、受信した信号をプライマリモバイルデバイス１２についてのサービング基地局１２に再送信する。サービング基地局１２は、復号のために、協調モバイルデバイス１４から受信される信号を、プライマリモバイルデバイス１４及び／又は他の協調ノードから受信される信号と合成し得る。ダウンリンク通信について、協調モバイルデバイス１４は、プライマリモバイルデバイス１４を対象とするサービング基地局からのダウンリンク送信を受信し、受信した信号をプライマリモバイルデバイス１４に再送信する。
【００２１】
図２に示す例では、ＵＥ２は、アイドル状態であり、ＵＥ１についてのＣｏＭＰセットに選択的に参加し得る。協働モバイルデバイス１４と同様、ＵＥ２は、ＵＥ１によりアップリンク上で送信される信号を受信し、受信した信号をＢＳ１へ再送信し得る。ＵＥ１からＵＥ２へ送信される信号は、ｄ１２と表される。ＵＥ２からＢＳ１へ送信される信号は、ｓ２１と表される。信号ｄ１２及びｓ２１は、ＵＥ１からＢＳ１へ送信される信号ｓ１１と同じ情報を含むことに留意されたい。ＢＳ１は、ＢＳ２から取得される信号ｓ１２とともに、受信した信号ｓ２１を使用して、信号ｓ１１の復号を助ける。ＵＥ２はまた、ＵＥ１を対象とするＢＳ１からのダウンリンク送信を受信し、受信した信号をＵＥ１に再送信し得る。ＵＥ１は、復号のために、ＵＥ２から受信し再送信した信号を、サービング基地局から受信される信号と合成し得る。
【００２２】
図２は、協調マルチポイント送信及び受信の例示的な方法５０を示す。図２において、プライマリモバイルデバイス１４（ＰＵＥ）は、アップリンク信号をサービング基地局１２へ送信している。アップリンク送信は、１つ以上の協調モバイルデバイス１４（ＣＵＥ）により支援される。プライマリモバイルデバイス１４は、アップリンクチャネル上でサービング基地局１２へデータ信号を送信する（５５）。送信された信号は、１つ以上の協働モバイルデバイス１４により受信され得る。この例では、データ信号は、情報信号の第１の冗長バージョン（ＲＶ１）を含み、ＨＡＲＱプロセスの第１の反復において送信される。サービング基地局１２は、受信したデータ信号を復号しようと試みる。この例では、データ信号の復号は失敗する（６０）ものとする。したがって、サービング基地局１２は、ＮＡＣＫ（negative  acknowledgement）をプライマリモバイルデバイス１４へ送信する（６５）。協働モバイルデバイス１４もまた、ＡＣＫ／ＮＡＣＫチャネルを監視する。ＮＡＣＫに応答して、プライマリモバイルデバイス１４は、第２のデータ信号をサービング基地局１２へ送信する（７０）。第２のデータ信号は、情報信号の第２の冗長バージョン（ＲＶ２）を含む。さらに、ＮＡＣＫの検出後、協働モバイルデバイス１４は、前回のＨＡＲＱ反復においてプライマリモバイルデバイスから受信したデータ信号を再送信する（７５）。サービング基地局１２は、協働モバイルデバイスから受信した、再送信されたデータ信号を、プライマリモバイルデバイス１４から受信したデータ信号と合成する（ブロック８０）。合成データ信号は、プライマリモバイルデバイス１４により送信された情報信号を復号するために使用され得る。
【００２３】
図３は、プライマリモバイルデバイス１４からサービング基地局１２へのアップリンク送信をサポートするために使用される、協調マルチポイント送信及び受信の別の例示的な方法１００を示す。この方法１００では、プライマリモバイルデバイス１４は、情報信号の第１の冗長バージョン（ＲＶ１）をサービング基地局１２へ送信する（１０５）。信号ＲＶ１は、１つ以上の協働モバイルデバイス１４によっても受信される。信号ＲＶ１の受信後、協働モバイルデバイス１４は、直ちに同一のＨＡＲＱ反復内において信号ＲＶ１をサービング基地局１２へ再送信する（１１０）。サービング基地局１２は、協働モバイルデバイス１４及びプライマリモバイルデバイス１４から受信した信号を合成する（１１５）。この例では、合成データ信号の復号は失敗する（１２０）ものとする。従って、サービング基地局１２は、プライマリモバイルデバイスにＮＡＣＫを送信する（１２５）。協働モバイルデバイス１４もまた、ＡＣＫ／ＮＡＣＫチャネルを監視する。ＮＡＣＫの受信後、プライマリモバイルデバイス１４は、ＨＡＲＱプロセスの第２の反復内において、情報信号の第２の冗長バージョン（ＲＶ２）をサービング基地局へ送信する（１３０）。ＮＡＣＫの検出後、協働モバイルデバイス１４は、情報信号の第１の冗長バージョンＲＶ１を再送信してもよい（１３５）。あるいは、協働モバイルデバイス１４は、情報信号の第２の冗長バージョン（ＲＶ２）を受信し、かつ再送信してもよい。
【００２４】
図４は、サービング基地局１２からプライマリモバイルデバイス１４へのダウンリンク送信における協調マルチポイント送信及び受信をサポートするための、本発明の別の実施形態に係る例示的な方法１５０を示す。第１のＨＡＲＱ反復の期間中、サービング基地局１２は、ダウンリンクチャネル上で、情報信号の第１の冗長バージョン（ＲＶ１）をプライマリモバイルデバイス１４へ送信する（１５５）。ダウンリンク送信は、１つ以上の協働モバイルデバイス１４によっても受信される。プライマリモバイルデバイス１４は、サービング基地局１２から受信した信号の復号に失敗する（ブロック１６０）ものとする。したがって、プライマリモバイルデバイス１４は、サービング基地局にＮＡＣＫを送信する（１６５）。協働モバイルデバイス１４もまた、ＡＣＫ／ＮＡＣＫチャネルを監視する。ＮＡＣＫの受信後、サービング基地局１２は、情報信号の第２の冗長バージョン（ＲＶ２）をプライマリモバイルデバイス１４へ送信する（１７０）。ＮＡＣＫの検出後、協働モバイルデバイス１４は、情報信号の第１の冗長バージョン（ＲＶ１）をプライマリモバイルデバイスに再送信する（１７５）。プライマリモバイルデバイス１４は、協働モバイルデバイス１４から受信した信号をサービング基地局１２から受信した信号と合成する（１８０）。合成データ信号は、情報信号を復号するために使用され得る。
【００２５】
図５は、サービング基地局１２からプライマリモバイルデバイス１４へのダウンリンク送信をサポートするための、協調マルチポイント送信及び受信の別の例示的な方法２００を示す。第１のＨＡＲＱ反復の期間中、サービング基地局１２は、情報信号の第１の冗長バージョン（ＲＶ１）をプライマリモバイルデバイス１４へ送信する。ダウンリンク送信は、１つ以上の協働モバイルデバイス１４によっても受信される。協働モバイルデバイス１４は、直ちに、同一のＨＡＲＱ反復内において信号ＲＶ１をプライマリモバイルデバイス１４へ再送信する。プライマリモバイルデバイス１４は、協働モバイルデバイス１４から受信した信号を、サービング基地局から受信した信号と合成し（ブロック２１５）、情報信号の復号を試みる。この例では、復号は失敗する（ブロック２２０）ものとする。プライマリモバイルデバイス１４は、サービング基地局１２にＮＡＣＫを送信する（ブロック２２５）。協働モバイルデバイス１４もまた、ＡＣＫ／ＮＡＣＫチャネルを監視する。ＮＡＣＫの受信後、サービング基地局１２は、情報信号の第２の冗長バージョン（ＲＶ２）をプライマリモバイルデバイス１４へ送信する。協働モバイルデバイス１４もまた、ＮＡＣＫの検出後、情報信号の第１の冗長バージョンをプライマリモバイルデバイス１４に再送信する（ブロック２３５）。あるいは、協働モバイルデバイス１４は、情報信号の第２の冗長バージョン（ＲＶ２）を受信し、かつ再送信してもよい。
【００２６】
図６は、協調マルチポイント送信及び受信をサポートするための、協働モバイルデバイス１４において実装される例示的な方法２５０を示す。協働モバイルデバイス１４は、プライマリモバイルデバイス１４についての協働セットに参加する（ブロック２５５）。プライマリモバイルデバイス１４についての協働セットへの参加の決定は、協働モバイルデバイス１４とプライマリモバイルデバイス１４との間のリンク品質、及び協働モバイルデバイス１４とサービング基地局１２との間のリンク品質を含む、多数の要因に依存し得る。他の要因もまた考慮され得る。いくつかの実施形態では、プライマリモバイルデバイス１４についての協調セットへの参加の決定は、有用度（utility）関数に基づいて協働モバイルデバイス１４により自律的に行われ得る。他の実施形態では、プライマリモバイルデバイス１４についてのサービング基地局１２が、プライマリモバイルデバイス１４についての協調セットに参加するように、協働モバイルデバイス１４にリクエストし得る。これらのアプローチの各々は、以下でより詳細に記載される。
【００２７】
プライマリモバイルデバイス１４についての協調セットに参加した後、協働モバイルデバイス１４は、アップリンクチャネル上でプライマリモバイルデバイス１４から、又はダウンリンクチャネル上でサービング基地局１２から、データ信号を受信する（ブロック２６０）。ＴＤＤ（time  division  duplex）システムの場合、協働モバイルデバイス１４のために追加的なハードウェアは必要とされない。ＦＤＤ（frequency  division  duplex）システムでは、協働モバイルデバイス１４は、プライマリモバイルデバイス１４への送信信号、又はプライマリモバイルデバイス１４からの送信信号を受信するための追加的なハードウェアを必要とする可能性がある。協働モバイルデバイス１４は、サービング基地局１２から受信した場合はプライマリモバイルデバイス１４へ、又はプライマリモバイルデバイス１４から受信した場合はサービング基地局１２へ、データ信号を再送信し得る（ブロック２７０）。再送信は、復号転送（decode  and  forward）動作を伴い得る。この場合、協働モバイルデバイス１４は、サービング基地局１２又はプライマリモバイルデバイス１４から受信した信号を復号し、当該信号を再符号化し、かつ再符号化された信号を送信する。協働モバイルデバイス１４により適用される符号化は、サービング基地局１２又はプライマリモバイルデバイス１４のいずれかにより適用される元の符号化と同一でなければならない。他の実施形態では、協働モバイルデバイス１４は、リピータとして機能し得る。この場合、協働モバイルデバイス１４により受信される信号は、復号されることなく単に中継される。
【００２８】
いくつかの実施形態では、協働モバイルデバイス１４は、図２及び図４において示されるように、再送信する前に受信側ノードからのＮＡＣＫを待機し得る。送信側ノード（プライマリモバイルデバイス１４又はサービング基地局１２）から受信側ノード（サービング基地局１２又はプライマリモバイルデバイス１４）への当初の送信は、ＨＡＲＱプロセスの第１の反復において行われ得る。再送信は、第２の又は後続のＨＡＲＱ反復において行われ得る。他の実施形態では、協働モバイルデバイス１４は、ＮＡＣＫを待機することなく直ちへ送信側ノードから受信された信号を再送信し得る。この場合、再送信は、ＨＡＲＱプロセスの、送信側ノードからの当初の送信と同一の反復において起こり得る。
【００２９】
図７は、プライマリモバイルデバイス１４の協働セットに参加するための、協働モバイルデバイス１４により実装される例示的な方法３００を示す。協働モバイルデバイス１４は、協働モバイルデバイス１４とプライマリモバイルデバイス１４との間の通信リンクについての、第１のリンク品質測定結果を判定する（ブロック３０５）。協働モバイルデバイス１４は、協働モバイルデバイス１４と、プライマリモバイルデバイス１４についてのサービング基地局１２との間の通信リンクについての、第２のリンク品質測定結果をも判定する（ブロック３１０）。協働モバイルデバイス１４は、その後、第１の及び第２のリンク品質測定結果に基づいて、有用度メトリック（ＵＭ；utility  metric）を計算する（ブロック３１５）。協働モバイルデバイス１４は、有用度メトリックを閾値と比較する（ブロック３２０）。有用度メトリックが閾値よりも大きいか又は等しい場合、協働モバイルデバイス１４は、プライマリモバイルデバイス１４についての協調セットに参加する（ブロック３２５）。そうでない場合、協働モバイルデバイス１４は、第１の及び第２の通信リンクを監視し続ける。
【００３０】
１つの例示的な実施形態では、有用度メトリックは、プライマリモバイルデバイス１４から協働モバイルデバイス１４への信号の信号対干渉雑音比（ＳＩＮＲ）、及び協働モバイルデバイス１４からプライマリモバイルデバイス１４についてのサービング基地局１２への信号のＳＩＮＲに基づき得る。いくつかの実施形態では、協働モバイルデバイス１４は、各通信リンクについてのＳＩＮＲを閾値と比較し、双方のＳＩＮＲ測定結果が閾値を満たすか又は上回る場合に協調セットに参加し得る。他の実施形態では、２つの通信リンクについてのＳＩＮＲ測定結果が、重み付けされ及び合成されてもよい。この場合、合成された有用度メトリックが閾値を満たす場合に、協働モバイルデバイス１４は、プライマリモバイルデバイス１４についての協調セットに参加する。
【００３１】
いくつかの実施形態では、有用度メトリックに、通信リンクのＳＩＮＲ測定結果に加えて、複数の要因が組み込まれてもよい。一例として、有用度メトリックに、協働モバイルデバイス１４による再送信を原因とする追加的な干渉が算入され得る。より詳細には、協働モバイルデバイス１４は、その再送信信号に起因するＳＬＮＲ（signal-to-leakage  noise  ratio）を判定し得る。ＳＬＮＲ測定結果は、有用度メトリックを計算するために、ＳＩＮＲ測定結果と合成され得る。
【００３２】
図８は、同一のローカルクラスタ１８内のプライマリモバイルデバイス１４の協調セットに選択的に参加するための、協働モバイルデバイス１４により実装される別の例示的な方法３５０を示す。この場合には、選択は、分散型かつ協調型の方法で、複数のモバイルデバイス１４の間で実行される。ローカルクラスタ１８内の各協働モバイルデバイス１４は、自己の有用度メトリックを計算し、メトリックが閾値を超えている場合、その有用度メトリックをローカルクラスタ１８内の他のモバイルデバイス１４へ送信する（ブロック３５５）。ローカルクラスタ１８内の他のモバイルデバイス１４も、同じことを行う。よって、協働モバイルデバイス１４は、他の候補モバイルデバイス１４から有用度メトリックを受信し得る（ブロック３６０）。
【００３３】
ローカルクラスタ１８内のモバイルデバイス１４であって、その有用度メトリックが閾値の要件を満たしているものが、候補セットを定義する。協働モバイルデバイス１４は、モバイルデバイス１４の有用度メトリックに基づいて、候補セット内のモバイルデバイス１４を識別し、ランク付けする（ブロック３６５）。協働モバイルデバイス１４はその後、そのランクを予め決定される数値ｎと比較する（ブロック３７０）。数値ｎは、協調セット内のモバイルデバイスの数を表す。協働モバイルデバイス１４のランクがｎよりも上位である（＞）場合、協働モバイルデバイス１４は、プライマリモバイルデバイス１４についての協調セットに参加する（ブロック３７５）。
【００３４】
図８に示される協調型の選択アプローチにより、モバイルデバイス１４の各々が、任意のプライマリモバイルデバイス１４についての協調セットを独立して判定することが可能となる。モバイルデバイス１４間のシグナリングを最小化するために、有用度メトリックが閾値を上回る場合にのみ、有用度メトリックが送信される。
【００３５】
ローカルクラスタ１８内の所与のモバイルデバイス１４は、１つより多くの他のモバイルデバイス１４についての協働モバイルデバイス１４としてサービスしてもよいことが理解されるであろう。この場合、モバイルデバイス１４は、ローカルクラスタ１８内の他のモバイルデバイス１４各々についての有用度メトリックを計算する。上述の通り、ローカルクラスタ内のモバイルデバイス１４は、有用度メトリックを交換する。所与のモバイルデバイス１４は、その後、そのランキングに応じて、ローカルクラスタ１８内の１つ以上の他のモバイルデバイス１４についての協調セットに参加し得る。いくつかの実施形態では、単一のモバイルデバイス１４の過負荷を防止するために、所与のモバイルデバイス１４が参加し得る協調セットの数に制限が課されてもよい。
【００３６】
本発明のいくつかの実施形態では、所与のモバイルデバイス１４についての協調セットのメンバーが、そのサービング基地局１２により決定されてもよい。図９は、基地局１２によりサービスされるプライマリモバイルデバイス１４の協調セットを決定するために、サービング基地局により実装される例示的な方法４００を示す。この方法では、基地局は、プライマリモバイルデバイス１４のローカルクラスタ１８内にある複数の候補モバイルデバイス１４から、リンク品質測定結果を受信する（ブロック４０５）。あるいは、サービング基地局１２は、候補モバイルデバイスの各々から有用度メトリックを受信してもよい。リンク品質メトリック又は有用度メトリックを候補モバイルデバイス１４から受信する基地局２０はまた、受信したメトリックを他の協調基地局２０とも交換し得る。サービング基地局１２は、リンク品質測定結果又は有用度メトリックに基づいて、協働モバイルデバイス１４としてサービスすることになる１つ以上の候補モバイルデバイス１４を選択する（ブロック４１０）。協調セットのメンバを選択した後、基地局は、選択されたモバイルデバイス１４が指定されたモバイルデバイス１４についての候補セットに参加するようにリクエストするために、選択されたモバイルデバイス１４に制御信号を送信する（ブロック４１５）。サポートされるモバイルデバイス１４の識別情報（identity）が当該リクエスト内に含められる。
【００３７】
本発明のいくつかの実施形態では、基地局１２は、指定されたモバイルデバイス１４についての協調セットの知識を用いて、モバイルデバイス１４のＭＣＳ（modulation  and  coding  scheme）をスペクトル的により高効率な値に適合させ得る。典型的には、所与のモバイルデバイス１４のＭＣＳは、最初の送信における復号成功の確率９０％を達成するように選択され、それは、ＢＥＲ（bit  error  rate）１０％に等しい。より積極的なリンク適応の実装では、ＢＥＲ２０％又は３０％を目標とするかもしれない。当技術分野において既知である通り、最初の送信が成功でない場合、基地局１２は、ＮＡＣＫを送信することにより再送信をリクエストすることができる。１つ以上の協働モバイルデバイス１４が、アップリンク信号を再送信することが可能である場合、復号成功の確率は増大するであろう。したがって、協働モバイルデバイス１４が１つ以上存在する場合、基地局１２は、モバイルデバイス１４についてより高いＭＣＳの値を選択することができる。この場合、サポートされるモバイルデバイス１４についてのＭＣＳは、合成された信号に基づいて復号成功の確率９０％を達成するように選択され得る。このアプローチは、より高いスループットとスペクトル効率の全般的な改善をもたらすであろう。いくつかの実施形態では、ＭＣＳの適応は、最初の送信、即ち第１のＨＡＲＱ反復のために使用されてもよい。他の実施形態では、ＭＣＳは、第２の又は後続のＨＡＲＱ反復において適応され得る。ＭＣＳの選択は、プライマリモバイルデバイス１４と協働モバイルデバイス１４との間のメッセージングにより通信され得る。
【００３８】
いくつかの実施形態では、プライマリモバイルデバイス１４についての協調セットは、サービング基地局以外の１つ以上の協働基地局１２と、１つ以上の協働モバイルデバイス１４とを含み得る。協調セットのメンバは、概して協働ノードと称される。例えば、プライマリモバイルデバイス１４についての協調セットは、サービング基地局１２、少なくとも１つの協働基地局１２、及び少なくとも１つの協働モバイルデバイス１４を含み得る。例として、図１におけるＵＥ１についての協調セットは、ＢＳ１（サービング基地局１２）、ＢＳ２（協働基地局１２）、及びＵＥ２（協働モバイルデバイス１４）を含み得る。ＢＳ２は、ＵＥ１から受信される信号をバックホールリンク上でＢＳ１へ送信し得る一方、ＵＥ２は、ＵＥ１から受信される信号を無線リンク上でＢＳ１へ再送信する。ＢＳ１は、その後、ＢＳ２及びＵＥ２から受信される信号をＵＥ１から直接受信される信号と合成し得る。
【００３９】
図１０は、ここに記載される様々な方法を実装するために使用され得る無線通信デバイス５００を示す。通信デバイス５００は、送受信機回路５１０及び処理回路５２０を含む。送受信機回路５１０は、ＬＴＥ標準又はＷｉＦｉ標準といった、任意の既知の無線通信標準に従って動作し得る。処理回路５２０は、送受信機回路５１０により送信及び受信される信号を処理する。処理回路５２０は、１つ以上のプロセッサ、マイクロコントローラ、ハードウェア、ファームウェア、又はそれらの組み合わせを含み得る。処理回路は、ここに記載される方法及び技術を実装するためのＣｏＭＰ制御回路５３０を含む。
【００４０】
ここに記載される本発明の実施形態は、アイドル状態のモバイルデバイス１４を利用して他のアクティブなモバイルデバイス１４から受信した信号を再送信することにより、無線通信システムにおける個々のスループット及び統合スループットを改善する。キャパシティ及びスループットを改善することに加えて、ここに記載される技術は、弱いカバレッジエリアにあるモバイルデバイスのためにカバレッジホールを除去することをも助ける。いくつかの実施形態では、基地局間のバックホールリンクについての帯域幅の要件及び基地局の処理負荷が減少し得る。
【００４１】
よって、上述の説明及び添付図面は、ここで教示される方法及び装置の非限定的な例を表す。このように、本発明は、上述の説明及び添付図面により限定されない。その代わりに、本発明は、以下の特許請求の範囲及びそれらの法的均等物によってのみ限定される。
【図１】
0005973681.tif 000002
【図２】
0005973681.tif 000003
【図３】
0005973681.tif 000004
【図４】
0005973681.tif 000005
【図５】
0005973681.tif 000006
【図６】
0005973681.tif 000007
【図７】
0005973681.tif 000008
【図８】
0005973681.tif 000009
【図９】
0005973681.tif 000010
【図１０】
0005973681.tif 000011